【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
印刷装置であって、
印刷部によって印刷を実行する印刷手段と、
前記印刷部を覆う筐体の一部である開閉可能な開閉部をロックするロック手段と、
前記開閉部がロックされている状態で、前記開閉部に対する、前記開閉部を開放するためのユーザ操作が実行された場合、所定の通知処理を実行する通知手段と、を有し、
前記開閉部がロックされている状態では、前記開閉部に対する前記開閉部を開けるためのユーザ操作が行われても、前記開閉部が開放されないことを特徴とする印刷装置。
【請求項２】
前記所定の通知処理は、スピーカから所定の通知音を発生させる処理を含むことを特徴とする請求項１に記載の印刷装置。
【請求項３】
前記所定の通知処理は、前記開閉部に対する、前記開閉部を開放するためのユーザ操作を実行しないように、ユーザを促す画面を表示部に表示する処理を含むことを特徴とする請求項１又は２に記載の印刷装置。
【請求項４】
前記開閉部に対する、前記開閉部を開放するためのユーザ操作が実行された場合、前記所定の通知処理を実行するか否かを設定する第１設定手段をさらに有することを特徴とする請求項１乃至３のいずれか１項に記載の印刷装置。
【請求項５】
前記開閉部がロックされており、且つ前記印刷装置が、第１の状態よりも消費電力が低い第２の状態である状態において、前記開閉部に対する、前記開閉部を開放するためのユーザ操作が実行された場合、前記印刷装置を前記第２の状態から前記第１の状態に遷移させる遷移手段をさらに有し、
前記開閉部がロックされており、且つ前記印刷装置が前記第２の状態である状態において、前記開閉部に対する、前記開閉部を開放するためのユーザ操作が実行された場合、前記印刷装置が前記第２の状態から前記第１の状態に遷移した後、前記通知処理が実行されることを特徴とする請求項１乃至４のいずれか１項に記載の印刷装置。
【請求項６】
前記開閉部がロックされており、且つ前記印刷装置が、第１の状態よりも消費電力が低い第２の状態である状態において、前記開閉部に対する、前記開閉部を開放するためのユーザ操作が実行された場合、前記所定の通知処理として、第１の通知処理が実行され、前記開閉部がロックされており、且つ前記印刷装置が前記第１の状態である状態において、前記開閉部に対する、前記開閉部を開放するためのユーザ操作が実行された場合、前記所定の通知処理として、前記第１の通知処理と異なる第２の通知処理が実行されることを特徴とする請求項１乃至５のいずれか１項に記載の印刷装置。
【請求項７】
前記開閉部がロックされており、且つ前記印刷装置が、前記第２の状態である状態において、前記開閉部に対する、前記開閉部を開放するためのユーザ操作が実行された場合、前記所定の通知処理として、前記第１の通知処理を実行するか前記第２の通知処理を実行するかを設定する第２設定手段をさらに有することを特徴とする請求項６に記載の印刷装置。
【請求項８】
前記開閉部がロックされており、且つ前記印刷装置が印刷を実行中である状態において、前記開閉部に対する、前記開閉部を開放するためのユーザ操作が実行された場合、前記所定の通知処理として、第１の通知処理が実行され、前記開閉部がロックされており、且つ前記印刷装置が印刷を実行中でない状態において、前記開閉部に対する、前記開閉部を開放するためのユーザ操作が実行された場合、前記所定の通知処理として、前記第１の通知処理と異なる第２の通知処理が実行されることを特徴とする請求項１乃至７のいずれか１項に記載の印刷装置。
【請求項９】
前記開閉部がロックされており、且つ前記印刷装置が印刷を実行中である状態において、前記開閉部に対する、前記開閉部を開放するためのユーザ操作が実行された場合、前記所定の通知処理として、前記第１の通知処理を実行するか前記第２の通知処理を実行するかを設定する第３設定手段をさらに有する請求項８に記載の印刷装置。
【請求項１０】
前記開閉部がロックされている状態で、前記開閉部に対する、前記開閉部を開放するためのユーザ操作が、所定の時間以上連続して実行された場合、第１の通知処理が実行され、前記開閉部がロックされている状態で、前記開閉部に対する、前記開閉部を開放するためのユーザ操作が、所定の時間未満連続して実行された場合、前記第１の通知処理と異なる第２の通知処理が実行されることを特徴とする請求項１乃至９のいずれか１項に記載の印刷装置。
【請求項１１】
前記第１の通知処理は、スピーカから所定の通知音を第１の時間発生させる処理を含み、前記第２の通知処理は、前記スピーカから前記所定の通知音を前記第１の時間より短い第２の時間発生させる処理を含むことを特徴とする請求項６乃至１０のいずれか１項に記載の印刷装置。
【請求項１２】
前記第１の通知処理は、スピーカから所定の通知音を第１の音量で発生させる処理を含み、前記第２の通知処理は、前記スピーカから前記所定の通知音を前記第１の音量より小さい第２の音量で発生させる処理を含むことを特徴とする請求項６乃至１１のいずれか１項に記載の印刷装置。
【請求項１３】
前記第１の通知処理は、前記開閉部に対する、前記開閉部を開放するためのユーザ操作を実行しないように、ユーザを促す第１の画面を表示部に表示する処理を含み、前記第２の通知処理は、前記開閉部に対する、前記開閉部を開放するためのユーザ操作を実行しないように、ユーザを促す前記第１の画面と異なる第２の画面を表示部に表示する処理を含むことを特徴とする請求項６乃至１２のいずれか１項に記載の印刷装置。
【請求項１４】
前記開閉部がロックされている状態で、前記開閉部以外の前記印刷装置が有する所定の構成に対する、前記開閉部のロックを解除するための所定のユーザ操作が行われたことを検知する検知手段と、
前記所定のユーザ操作が行われたことが検知された場合、前記開閉部のロックを解除する解除手段と、を更に有することを特徴とする請求項１乃至１３のいずれか１項に記載の印刷装置。
【請求項１５】
前記所定のユーザ操作が行われたことが検知された場合、前記印刷部に対する所定の準備処理を実行する実行手段を更に有することを特徴とする請求項１４に記載の印刷装置。
【請求項１６】
前記所定のユーザ操作が行われたことが検知された場合、前記所定の準備処理が完了した後に、前記開閉部のロックが解除されることを特徴とする請求項１５に記載の印刷装置。
【請求項１７】
前記所定の構成は、画面を表示する表示部であることを特徴とする請求項１４乃至１６のいずれか１項に記載の印刷装置。
【請求項１８】
前記所定のユーザ操作は、前記表示部が表示する所定の画面に対するユーザ操作であることを特徴とする請求項１７に記載の印刷装置。
【請求項１９】
前記所定の画面は、前記印刷部の少なくとも一部にエラーが発生した場合に表示されることを特徴とする請求項１８に記載の印刷装置。
【請求項２０】
前記所定の画面は、前記印刷部の少なくとも一部を交換するための操作が行われた場合に表示されることを特徴とする請求項１８又は１９に記載の印刷装置。
【請求項２１】
前記印刷部によって、インクを記録媒体上に吐出することで印刷が実行されることを特徴とする請求項１乃至２０のいずれか１項に記載の印刷装置。
【請求項２２】
印刷装置の制御方法であって、
印刷部によって印刷を実行する印刷ステップと、
前記印刷部を覆う筐体の一部である開閉可能な開閉部をロックするロックステップと、
前記開閉部がロックされている状態で、前記開閉部に対する、前記開閉部を開放するためのユーザ操作が実行された場合、所定の通知処理を実行する通知ステップと、を有し、
前記開閉部がロックされている状態では、前記開閉部に対する前記開閉部を開けるためのユーザ操作が行われても、前記開閉部が開放されないことを特徴とする印刷装置。
【請求項２３】
コンピュータを、請求項１乃至２１のいずれか１項に記載の印刷装置の各手段として動作させるためのプログラム。